(57)【特許請求の範囲】
【請求項１】
フォーカスを調整するフォーカスレンズを有する光学系を含み、撮像領域に入射される光束を光電変換した原画像データをフレーム単位で順次出力する撮像部と、
前記撮像領域内の第１の領域に相当する部分の前記原画像データから第１の画角の画像データを生成し、当該第１の領域内の一部の領域である第２の領域に相当する部分の前記原画像データから第２の画角の画像データを生成し、前記フォーカスレンズの駆動中、前記第２の画角の画像データの画像サイズを前記第１の画角の画像データの画像サイズよりも大きくし、前記フォーカスレンズの駆動中以外、前記第１の画角の画像データの画像サイズを前記第２の画角の画像データの画像サイズよりも大きくする画像処理部と、
前記画像処理部によって生成された前記第１の画角の画像データ及び前記第２の画角の画像データから一部をフレーム単位で抽出し、前記フォーカスレンズの駆動中、前記第１の画角の画像データに対する前記第２の画角の画像データの抽出頻度の比率を上げる抽出部と、
前記抽出部によって抽出された前記第１の画角の画像データ及び前記第２の画角の画像データを無線で順次送信する外部インタフェースと、
を有する撮像端末。
【請求項２】
前記撮像部は、像倍率を調整するズームレンズを有する光学系を含み、
前記抽出部は、前記ズームレンズの駆動中、前記第２の画角の画像データに対する前記第１の画角の画像データの抽出頻度の比率を上げる請求項１に記載の撮像端末。
【請求項３】
前記画像処理部は、前記第１の画角の画像データ及び前記第２の画角の画像データに対して画像圧縮処理を行う請求項１に記載の撮像端末。
【請求項４】
前記画像処理部は、前記フォーカスレンズの駆動中、前記第２の画角の画像データに対して、前記第１の画角の画像データに対して行う画像圧縮処理よりも低圧縮の画像圧縮処理を行う請求項３に記載の撮像端末。
【請求項５】
前記画像処理部は、前記原画像データから前記撮像領域内の人の顔部分の領域を認識し、前記顔部分の領域の認識結果に基づいて前記第２の領域を決定する請求項１に記載の撮像端末。
【請求項６】
前記外部インタフェースは、外部端末からの指示を受信し、
前記画像処理部は、前記指示に基づいて前記第２の領域を決定する請求項１に記載の撮像端末。
【請求項７】
前記外部インタフェースは、外部端末からの指示を受信し、
前記画像処理部は、前記指示に基づいて前記第１の画角の画像データ及び前記第２の画角の画像データを生成し、
前記撮像部は、前記指示が受信されない場合は、単位時間あたりのフレーム数を低減する請求項１に記載の撮像端末。
【請求項８】
請求項１に記載の撮像端末から無線で送信された画像データを受信する外部インタフェースと、
前記外部インタフェースによって受信された画像データの画像サイズを判定する受信画像判定部と、
前記第１の画角の画像データ及び前記第２の画角の画像データのうち、より画像サイズが大きい画像データに対応する画像を表示する第１の表示部と、
前記第１の画角の画像データ及び前記第２の画角の画像データのうち、より画像サイズが小さい画像データに対応する画像を表示する第２の表示部と、
前記受信された画像データが、より画像サイズが大きい画像データであると判定された場合、前記第１の表示部に表示される画像を更新させ、前記受信された画像データが、より画像サイズが小さい画像データであると判定された場合、前記第２の表示部に表示される画像データに対応する画像を更新させる制御部と、
有する表示端末。
【請求項９】
前記第１の表示部及び前記第２の表示部が同一の表示装置の画面上に形成されていることを特徴とする請求項８に記載の表示端末。
【請求項１０】
請求項１に記載の撮像端末から無線で送信された画像データを受信する第１のステップと、
前記第１のステップで受信された画像データの画像サイズを判定する第２のステップと、
前記第１の画角の画像データ及び前記第２の画角の画像データのうち、より画像サイズが大きい画像データに対応する画像を第１の表示部に表示する第３のステップと、
前記第１の画角の画像データ及び前記第２の画角の画像データのうち、より画像サイズが小さい画像データに対応する画像を第２の表示部に表示する第４のステップと、
を有し、前記第１のステップで受信された画像データが、より画像サイズが大きい画像データであると判定された場合、前記第１の表示部に表示される画像を更新させ、前記受信された画像データが、より画像サイズが小さい画像データであると判定された場合、前記第２の表示部に表示される画像を更新させる表示方法。
【請求項１１】
画像データを無線で送信する撮像端末と、当該画像データを受信する表示端末とを有する撮像システムであって、
前記撮像端末は、
フォーカスを調整するフォーカスレンズを有する光学系を含み、撮像領域に入射される光束を光電変換した原画像データをフレーム単位で順次出力する撮像部と、
前記撮像領域内の第１の領域に相当する部分の前記原画像データから第１の画角の画像データを生成し、当該第１の領域内の一部の領域である第２の領域に相当する部分の前記原画像データから第２の画角の画像データを生成し、前記フォーカスレンズの駆動中、前記第２の画角の画像データの画像サイズを前記第１の画角の画像データの画像サイズよりも大きくし、前記フォーカスレンズの駆動中以外、前記第１の画角の画像データの画像サイズを前記第２の画角の画像データの画像サイズよりも大きくする画像処理部と、
前記画像処理部によって生成された前記第１の画角の画像データ及び前記第２の画角の画像データから一部をフレーム単位で抽出し、前記フォーカスレンズの駆動中、前記第１の画角の画像データに対する前記第２の画角の画像データの抽出頻度の比率を上げる抽出部と、
前記抽出部によって抽出された前記第１の画角の画像データ及び前記第２の画角の画像データを無線で順次送信する第１の外部インタフェースと、
を有し、
前記表示端末は、前記撮像端末から無線で送信された画像データを受信する第２の外部インタフェースと、
前記第２の外部インタフェースによって受信された画像データの画像サイズを判定する受信画像判定部と、
前記第１の画角の画像データ及び前記第２の画角の画像データのうち、より画像サイズが大きい画像データに対応する画像を表示する第１の表示部と、
前記第１の画角の画像データ及び前記第２の画角の画像データのうち、より画像サイズが小さい画像データに対応する画像を表示する第２の表示部と、
前記受信された画像データが、より画像サイズが大きい画像データであると判定された場合、前記第１の表示部に表示される画像を更新させ、前記受信された画像データが、より画像サイズが小さい画像データであると判定された場合、前記第２の表示部に表示される画像データに対応する画像を更新させる制御部と、
を有する撮像システム。
【発明の詳細な説明】
【技術分野】
【０００１】
本発明は、撮像機能を有し画像データを送信する撮像端末、及び撮像端末から送信された画像データを受信し画像を表示する表示端末に関する。また、本発明は、撮像端末から送信された画像データを受信し画像を表示する表示方法、及び撮像端末と表示端末とを有する撮像システムに関する。
【背景技術】
【０００２】
近年、無線ネットワーク技術は急速に普及しつつあり、デジタルカメラにおいても、無線ＬＡＮを搭載した製品や無線ＬＡＮに接続するためのアダプターが登場して久しい。また、デジタルカメラがリアルタイムに撮像したライブビュー映像を、無線ネットワークを経由してＰＣなどの端末で受信し、ユーザーがその端末でライブビュー映像を確認しながら遠隔で撮影できるものがある。この様な、遠隔でデジタルカメラを制御してフレーミングやフォーカスの調整を行う方法として、特許文献１に開示されているような技術がある。
【先行技術文献】
【特許文献】
【０００３】
【特許文献１】特開平１１−２６１８７５号公報
【発明の概要】
【発明が解決しようとする課題】
【０００４】
しかしながら、特許文献１に記載のデジタルカメラにおいては、撮影に係るフォーカスなどの調整を遠隔で行う場合に、不都合を生じる可能性がある。例えば、フォーカスを調整しようとした場合、ＶＧＡ（Video Graphics Array）程度の画質ではピントの状態を正確に確認することはできない。特に、焦点距離が比較的長い一眼レフレックスカメラなどを用いた場合は、被写界深度が浅い状態で撮影する際に、細かくピントの状態を確認したいものである。このような場合に、所望のエリアを拡大表示することでピント状態を確認できるが、そうすると撮影視野全体を確認することができなくなってしまう。
【０００５】
撮影視野全体を確認することができない場合、以下のような不都合を生じる可能性がある。例えば、所望の被写体にピントが合っているが、撮影視野の端に人が入ってしまい、写真の作品性が損なわれるなどの撮影の失敗につながる可能性がある。特に、遠隔で撮影する場合は、被写体の状況を目視で確認することができないため、主要な被写体周辺の状況を把握しづらい。したがって、遠隔で撮影を行う際に、撮影視野全体の画像と、特定領域の拡大画像とを同時に表示することで、撮影視野全体の状況と所望の被写体のピント状態とを同時に確認しながら撮影できるようにすることが望ましい。
【０００６】
本発明は、上述した課題に鑑みてなされたものであって、ユーザーが複数の画角の画像を確認しながら撮像を行うことを可能とすることを目的とする。
【課題を解決するための手段】
【０００７】
本発明は、上記の課題を解決するためになされたもので、フォーカスを調整するフォーカスレンズを有する光学系を含み、撮像領域に入射される光束を光電変換した原画像データをフレーム単位で順次出力する撮像部（図１の撮像部１０１に対応）と、前記撮像領域内の第１の領域に相当する部分の前記原画像データから第１の画角の画像データを生成し、当該第１の領域内の一部の領域である第２の領域に相当する部分の前記原画像データから第２の画角の画像データを生成し、前記フォーカスレンズの駆動中、前記第２の画角の画像データの画像サイズを前記第１の画角の画像データの画像サイズよりも大きくし、前記フォーカスレンズの駆動中以外、前記第１の画角の画像データの画像サイズを前記第２の画角の画像データの画像サイズよりも大きくする画像処理部（図１の画像処理部１０２、拡大画像生成部１０３に対応）と、前記画像処理部によって生成された前記第１の画角の画像データ及び前記第２の画角の画像データから一部をフレーム単位で抽出し、前記フォーカスレンズの駆動中、前記第１の画角の画像データに対する前記第２の画角の画像データの抽出頻度の比率を上げる抽出部（図１の送信画像生成部１０４に対応）と、前記抽出部によって抽出された前記第１の画角の画像データ及び前記第２の画角の画像データを無線で順次送信する外部インタフェース（図１のＷＬＡＮインタフェース１０５に対応）と、を有する撮像端末（図１の撮像端末１００に対応）である。
【０００９】
また、本発明の撮像端末において、前記撮像部は、像倍率を調整するズームレンズを有する光学系を含み、前記抽出部は、前記ズームレンズの駆動中、前記第２の画角の画像データに対する前記第１の画角の画像データの抽出頻度の比率を上げる。
【００１１】
また、本発明の撮像端末において、前記画像処理部は、前記第１の画角の画像データ及び前記第２の画角の画像データに対して画像圧縮処理を行う。
【００１２】
また、本発明の撮像端末において、前記画像処理部は、前記フォーカスレンズの駆動中、前記第２の画角の画像データに対して、前記第１の画角の画像データに対して行う画像圧縮処理よりも低圧縮の画像圧縮処理を行う。
【００１３】
また、本発明の撮像端末において、前記画像処理部は、前記原画像データから前記撮像領域内の人の顔部分の領域を認識し、前記顔部分の領域の認識結果に基づいて前記第２の領域を決定する。
【００１４】
また、本発明の撮像端末において、前記外部インタフェースは、外部端末からの指示を受信し、前記画像処理部は、前記指示に基づいて前記第２の領域を決定する。
【００１５】
また、本発明の撮像端末において、前記外部インタフェースは、外部端末からの指示を受信し、前記画像処理部は、前記指示に基づいて前記第１の画角の画像データ及び前記第２の画角の画像データを生成し、前記撮像部は、前記指示が受信されない場合は、単位時間あたりのフレーム数を低減する。
【００１６】
また、本発明は、上記の撮像端末から無線で送信された画像データを受信する外部インタフェース（図２のＷＬＡＮインタフェース２０１に対応）と、前記外部インタフェースによって受信された画像データの画像サイズを判定する受信画像判定部（図２の受信画像判定部２０２に対応）と、前記第１の画角の画像データ及び前記第２の画角の画像データのうち、より画像サイズが大きい画像データに対応する画像を表示する第１の表示部（図２の表示部２０４ａに対応）と、前記第１の画角の画像データ及び前記第２の画角の画像データのうち、より画像サイズが小さい画像データに対応する画像を表示する第２の表示部（図２の表示部２０４ｂに対応）と、前記受信された画像データが、より画像サイズが大きい画像データであると判定された場合、前記第１の表示部に表示される画像を更新させ、前記受信された画像データが、より画像サイズが小さい画像データであると判定された場合、前記第２の表示部に表示される画像データに対応する画像を更新させる制御部（図２のシステムコントローラ２０６に対応）と、有する表示端末である。
【００１８】
また、本発明の表示端末は、前記第１の表示部及び前記第２の表示部が同一の表示装置の画面上に形成されていることを特徴とする。
【００１９】
また、本発明は、上記の撮像端末から無線で送信された画像データを受信する第１のステップと、前記第１のステップで受信された画像データの画像サイズを判定する第２のステップと、前記第１の画角の画像データ及び前記第２の画角の画像データのうち、より画像サイズが大きい画像データに対応する画像を第１の表示部に表示する第３のステップと、前記第１の画角の画像データ及び前記第２の画角の画像データのうち、より画像サイズが小さい画像データに対応する画像を第２の表示部に表示する第４のステップと、を有し、前記第１のステップで受信された画像データが、より画像サイズが大きい画像データであると判定された場合、前記第１の表示部に表示される画像を更新させ、前記受信された画像データが、より画像サイズが小さい画像データであると判定された場合、前記第２の表示部に表示される画像を更新させる表示方法である。
【００２０】
また、本発明は、画像データを無線で送信する撮像端末と、当該画像データを受信する表示端末とを有する撮像システムであって、前記撮像端末は、フォーカスを調整するフォーカスレンズを有する光学系を含み、撮像領域に入射される光束を光電変換した原画像データをフレーム単位で順次出力する撮像部と、前記撮像領域内の第１の領域に相当する部分の前記原画像データから第１の画角の画像データを生成し、当該第１の領域内の一部の領域である第２の領域に相当する部分の前記原画像データから第２の画角の画像データを生成し、前記フォーカスレンズの駆動中、前記第２の画角の画像データの画像サイズを前記第１の画角の画像データの画像サイズよりも大きくし、前記フォーカスレンズの駆動中以外、前記第１の画角の画像データの画像サイズを前記第２の画角の画像データの画像サイズよりも大きくする画像処理部と、前記画像処理部によって生成された前記第１の画角の画像データ及び前記第２の画角の画像データから一部をフレーム単位で抽出し、前記フォーカスレンズの駆動中、前記第１の画角の画像データに対する前記第２の画角の画像データの抽出頻度の比率を上げる抽出部と、前記抽出部によって抽出された前記第１の画角の画像データ及び前記第２の画角の画像データを無線で順次送信する第１の外部インタフェースと、を有し、前記表示端末は、前記撮像端末から無線で送信された画像データを受信する第２の外部インタフェースと、前記第２の外部インタフェースによって受信された画像データの画像サイズを判定する受信画像判定部と、前記第１の画角の画像データ及び前記第２の画角の画像データのうち、より画像サイズが大きい画像データに対応する画像を表示する第１の表示部と、前記第１の画角の画像データ及び前記第２の画角の画像データのうち、より画像サイズが小さい画像データに対応する画像を表示する第２の表示部と、前記受信された画像データが、より画像サイズが大きい画像データであると判定された場合、前記第１の表示部に表示される画像を更新させ、前記受信された画像データが、より画像サイズが小さい画像データであると判定された場合、前記第２の表示部に表示される画像データに対応する画像を更新させる制御部と、を有する撮像システムである。
【００２１】
上記において、括弧で括った部分の記述は、後述する本発明の実施形態と本発明の構成要素とを便宜的に対応付けるためのものであり、この記述によって本発明の内容が限定されるわけではない。
【発明の効果】
【００２２】
本発明によれば、ユーザーが複数の画角の画像を確認しながら撮像を行うことができる。
【図面の簡単な説明】
【００２３】
【図１】本発明の第１の実施形態による撮像端末の構成を示すブロック図である。
【図２】本発明の第１の実施形態による操作端末の構成を示すブロック図である。
【図３】本発明の第１の実施形態による撮像端末と操作端末の一例を示す参考図である。
【図４】本発明の第１の実施形態による操作端末の斜視図である。
【図５】本発明の第１の実施形態における設定画面を示す参考図である。
【図６】本発明の第１の実施形態における送信データの構造を示す参考図である。
【図７】本発明の第１の実施形態による撮像端末の動作の手順を示すフローチャートである。
【図８】本発明の第１の実施形態による操作端末の動作の手順を示すフローチャートである。
【図９】本発明の第２の実施形態による撮像端末と操作端末の一例を示す参考図である。
【図１０】本発明の第２の実施形態による操作端末の画面を示す参考図である。
【図１１】本発明の第３の実施形態による操作端末の画面を示す参考図である。
【発明を実施するための形態】
【００２４】
以下、図面を参照し、本発明の実施形態を説明する。以下の実施形態は、複数の画角の画像を確認しながらリモートでライブビュー映像の撮像を行うことができるという特徴を有するものである。また、以下の実施形態は次のような特徴を有するものでもある。
【００２５】
ユーザーが動画像を違和感の無い映像として見るためには、一般的に１５ｆｐｓ程度のフレームレートの確保が必要である。また、画像サイズが大きい方がピントの合焦度合を確認するのに有利であるが、無線ＬＡＮを想定した場合、通信速度により画像サイズに制限が発生する。
【００２６】
例えば、ＶＧＡ（６４０×４８０）サイズの映像を、一般的な画像フォーマットであるＪＰＥＧの映像に圧縮して送信した場合、１５ｆｐｓのフレームレートを確保するには、約２０Ｍｂｐｓの通信速度が必要になる。しかしながら、高速に通信を行うためには、ハードウェアの構成が高価になり、コストアップにつながるだけでなく消費電力の増大にもつながり、携帯する機器としては致命的な問題となってしまう。
【００２７】
そこで、画像サイズを小さくすることが考えられるが、画像サイズを例えばＱＶＧＡ（３２０×２４０）サイズにした場合、ユーザーは映像の細部を十分に確認することができないため、所望の被写体に正確にピントがあっているのかどうか判断できない。そこで、以下の実施形態では、通信速度が高速でない場合でも、操作性を損なうことなく、フレーミングやフォーカス調整を行うこと、及び所望の被写体にピントが合っていることを確認して撮影を行うことを可能とするものである。
【００２８】
（第１の実施形態）
まず、本発明の第１の実施形態を説明する。図１は、本実施形態による撮像端末の構成を示している。図１（ａ）に示す撮像端末１００は、撮像部１０１と、画像処理部１０２と、拡大画像生成部１０３と、送信画像生成部１０４と、ＷＬＡＮインタフェース１０５と、システムコントローラ１０６とで構成されている。
【００２９】
撮像部１０１は、撮像領域に入射される光束を光電変換して原画像データをフレーム単位で順次生成し、出力する。画像処理部１０２は、撮像領域内の第１の領域に相当する部分（例えば、全体画像に相当する部分）の原画像データから第１の画角の画像データを生成し、その画像データに対して圧縮などの画像処理を行う。拡大画像生成部１０３は、上記の第１の領域内の一部である第２の領域に相当する部分の原画像データから第２の画角の画像データを生成し、その画像データに対して圧縮などの画像処理を行う。
【００３０】
送信画像生成部１０４は、第１の画角の画像データ及び第２の画角の画像データから、外部の通信端末（本実施形態の例では、後述する操作端末２００）に送信するためのデータをフレーム単位で選択する。ＷＬＡＮインタフェース１０５は、外部の通信端末と無線通信を行い、第１の画角の画像データ及び第２の画角の画像データをフレーム単位で順次送信する。システムコントローラ１０６は上記各部の制御を行う。
【００３１】
図１（ｂ）は、撮像部１０１の詳細な構成を示している。撮像部１０１は、フォーカスレンズ１０１ａと、ズームレンズ１０１ｂと、撮像素子１０１ｃと、駆動部１０１ｄとで構成されている。
【００３２】
フォーカスレンズ１０１ａ及びズームレンズ１０１ｂは撮影光学系を構成している。フォーカスレンズ１０１ａは、光軸に沿って平行に移動できるように構成されており、撮像素子１０１ｃの表面に結像された被写体像のフォーカスを調整する。ズームレンズ１０１ｂも同様に光軸に沿って平行に移動できるように構成されており、撮影光学系の焦点距離を変化させることで、撮像素子１０１ｃの表面に結像される被写体像の像倍率を調整する。撮像素子１０１ｃは、表面に結像された被写体像を電気信号に変換し、原画像データとして外部に出力する。上記のレンズからなる撮影光学系は、システムコントローラ１０６からの駆動指示に従って、駆動部１０１ｄ（例えばステッピングモーター）により光軸に沿って移動する。
【００３３】
図２は、本実施形態による操作端末の構成を示している。図２に示す操作端末２００は、ＷＬＡＮインタフェース２０１と、受信画像判定部２０２と、表示装置２０４と、操作部２０５と、システムコントローラ２０６とで構成されている。
【００３４】
ＷＬＡＮインタフェース２０１は、外部の通信端末（本実施形態の例では、撮像端末１００）と通信を行い、無線で送信された画像データをフレーム単位で受信する。受信画像判定部２０２は、受信した画像データ（以下、受信画像データと記載）の種別をフレーム単位で判定する。この種別は、前述した２種類の画角に対応している。
【００３５】
表示装置２０４は、受信画像データに基づく画像や操作メニューなどを表示する。表示装置２０４は、受信画像データの種別ごとに画像を分けて表示する表示部２０４ａと表示部２０４ｂとを備える。本実施形態では、表示部２０４ａが第１の画角の画像データに対応し、表示部２０４ｂが第２の画角の画像データに対応するものとする。なお、表示部２０４ａ及び表示部２０４ｂは、画像の表示に必要な受信画像データを一時的に保持するバッファを含んでおり、このバッファが更新されることで表示画像が切り替わる。操作部２０５は、ユーザーが撮影操作や撮影に係る設定操作を行うためのものであり、ユーザーによる操作の内容に応じた信号をシステムコントローラ２０６へ出力する。
【００３６】
システムコントローラ２０６は上記各部の制御を行う。また、システムコントローラ２０６は、受信画像データが第１の画角の画像データであると判定された場合、受信画像判定部２０２に対して、表示部２０４ａのバッファ内のデータを第１の画角の画像データで書き換えさせることによって、第１の画角の画像データに対応する画像を更新させる。さらに、システムコントローラ２０６は、受信画像データが第２の画角の画像データであると判定された場合、受信画像判定部２０２に対して、表示部２０４ｂのバッファ内のデータを第２の画角の画像データで書き換えさせることによって、第２の画角の画像データに対応する画像を更新させる。
【００３７】
図３は、本実施形態における利用シーンの一例を示している。カメラ３１が撮像端末１００に対応し、携帯端末４０が操作端末２００に対応する。カメラ３１と携帯端末４０はアドホックモードの無線ネットワークを形成しており、カメラ３１と携帯端末４０は直接無線ＬＡＮにより接続されている。
【００３８】
このケースでは、カメラ３１で撮像されたライブビュー映像が無線ネットワークを経由して携帯端末４０に送信されている。携帯端末４０は、カメラ３１に対して、撮像に係る操作（フレーミングやフォーカス調整）や撮像指示を行い、ライブビュー映像を遠隔で撮像させる。この際に、ユーザーによる操作に対応した操作コマンドが、無線ネットワークを経由してカメラ３１に送信され、カメラ３１はそのコマンドに基づいて動作する。
【００３９】
図４は、携帯端末４０の外観を示している。携帯端末４０は２画面のディスプレイを有しており、表示部２０４ａに対応するメインディスプレイ４１と、表示部２０４ｂに対応するサブディスプレイ４２とを有している。メインディスプレイ４１は、外部の撮像端末１００から無線ネットワークを経由して受信した撮影視野全体の映像を表示する。サブディスプレイ４２は、図５に示すようなカメラの撮影に関わる各種設定を表示し、フォーカスの調整中は、外部の撮像端末１００から受信した第２の画角の画像データに基づく拡大画像を表示する。図５に示すカメラの設定は一例であって、シャッター速度（図５に示す例では２５０）や絞り（図５に示す例ではＦ５．６）、撮影枚数（図５に示す例では３８）など、撮影に係る各種情報が表示される。
【００４０】
拡大エリア４３は、サブディスプレイ４２に表示される拡大画像に対応するエリアを示している。ユーザーは、操作部２０５の操作により、拡大エリア４３の広さや位置を任意に指定することができる。ユーザーが指定した拡大エリア４３の情報は、無線ネットワークを経由して外部の撮像端末１００に通知される。外部の撮像端末１００は、この情報に基づいて拡大画像用の画像データを生成して携帯端末４０に送信する。携帯端末４０は、受信した画像データに基づいて拡大画像をサブディスプレイ４２に表示する。これによって、ユーザーは拡大画像を確認することができる。
【００４１】
プッシュスイッチ４４は、撮影時にカメラのレリーズスイッチと同等の働きをする。ユーザーがプッシュスイッチ４４を押下する操作を行うと、外部の撮像端末１００に撮影開始が指示される。サブディスプレイ４２に設定情報が表示されているときは、十字キー４５と合わせてプッシュスイッチ４４を操作することで、設定の決定を行うことができる。十字キー４５は、撮影パラメータの設定時に設定画面の選択位置の切り替えに用いられ、撮影時にはズーム倍率やフォーカス位置の変更に用いられる。
【００４２】
図６は、撮像端末１００から操作端末２００に対して送信される送信データの構造を示している。撮像端末１００から送信される送信データは、画像データ種別６１と端末データ６２と撮影パラメータ６３とで構成されるヘッダー情報部と、画像データ６４で構成されるデータ部とを有する。
【００４３】
画像データ種別６１には、画像データの種別に係る情報が格納されている。種別は、撮影視野全体の画像データ、指定エリアの拡大画像データ、又は撮影された記録用の撮影データを示している。端末データ６２は、撮像端末１００を特定するためのコードである。操作端末２００が複数の撮像端末１００と接続した場合は、端末データ６２を用いて撮像端末１００が特定される。このコードに関しては、例えばＩＰアドレスや物理アドレスを用いることができる。
【００４４】
撮影パラメータ６３は、撮像端末１００のズーム倍率、フォーカス位置などの光学系の設定や絞り値など、撮影に係る設定情報である。以上のヘッダー情報は、これだけに限定されるものではなく、その他必要な情報があれば追加しても構わない。画像データ６４は、例えばＪＰＥＧなどの画像圧縮方式によりフレームごとに圧縮されたデータであって、１フレームの画像データに１つのヘッダー情報が対応している。なお、本実施形態では、撮影に係る設定情報がヘッダー情報に含まれているが、別途コマンドを用いて撮影パラメータのやりとりを行っても良い。
【００４５】
次に、本実施形態による撮像端末１００と操作端末２００の動作を説明する。本実施形態では、一例として、図３に示すように、無線ネットワーク機能を搭載した撮像端末１００としてのカメラ３１と、操作端末２００としての携帯端末４０がアドホックモードで直接接続され、無線ネットワーク経由で撮影を行うものとする。
【００４６】
図７は、リモート撮影によりライブビュー映像を撮像する場合の撮像端末１００の動作の手順を示している。図７に示す動作は、操作端末２００からリモート撮影開始指示を受信した場合に実行される。
【００４７】
リモート撮影の開始後、システムコントローラ１０６は、撮影設定の内容を示す撮影設定情報（撮影設定指示）が受信されているか否かを確認する。撮影設定とは、撮影に係るフォーカスや露出などの設定内容や拡大画像を作成する範囲のことである。撮影設定情報は、ＷＬＡＮインタフェース１０５により受信され、システムコントローラ１０６によって保持される（ステップＳ１０１）。
【００４８】
撮影設定情報を受信した場合、システムコントローラ１０６は、撮影設定情報に基づいて、撮像部１０１内の光学設定や、画像処理部１０２の処理内容、拡大画像生成部１０３での拡大範囲の設定を変更する（ステップＳ１０２）。また、撮影設定情報を受信していない場合は、そのまま次の処理に移行する。
【００４９】
続いて、ライブビュー表示用の画像が撮像される（ステップＳ１０３）。このとき、撮像端末１００の撮像部１０１で撮像された被写体像は、原画像データとして画像処理部１０２と拡大画像生成部１０３に出力される。画像処理部１０２は、操作端末２００からの撮影指示に基づいて、撮像された画像データに対して所定の画像処理を行い、設定された画像サイズの画像となるように画像データを圧縮する。ライブビュー映像は常に送信されるため、ユーザーに違和感を与えない映像を表示するためのフレームレートとしては１５ｆｐｓ以上あることが望ましい。このため、端末間の通信速度により、１５ｆｐｓ以上のフレームレートを確保するための画像サイズの限界が決まる。本実施形態では、一例として、画像サイズをＶＧＡ（６４０×４８０）サイズとする。例えば、撮像素子１０１ｃの有効画素数が４０９６×３０６４ピクセルであったとすると、この撮像素子１０１ｃから得られる画像データ全体（４０９６×３０６４ピクセル）からＶＧA（６４０×４８０）サイズの画像データが生成される。
【００５０】
一方、拡大画像生成部１０３は、撮像部１０１から出力された原画像データから、設定された画像サイズの画像データを切り出し、所定の画像サイズの画像となるように画像データを圧縮して拡大画像データを生成する（ステップＳ１０４）。拡大画像生成部１０３は、拡大画像データを生成する領域の情報を内部に記憶している。本実施形態では、一例として、画像の中心における６４０×４８０の画像データからＱＶＧＡ（３２０×２４０）サイズの拡大画像データが生成される。初期状態では、画像データを切り出す位置は画像の中心位置であるが、操作端末２００からＷＬＡＮインタフェース１０５経由で受信した、切り出し位置に関する情報に基づいて切り出し位置を変更することが可能である。
【００５１】
続いて、送信画像生成部１０４は、画像処理部１０２で処理された撮影視野全体の画像データと、拡大画像生成部１０３で処理された拡大画像データとから、送信対象のデータを決定（選択）する（ステップＳ１０５）。この際、映像の１フレームにつき、画像処理部１０２と拡大画像生成部１０３の両方で生成された画像データを送信対象のデータとしても良いし、映像の１フレームに対して、画像処理部１０２と拡大画像生成部１０３のどちらか一方で生成された画像データを送信対象のデータとしても良い。
【００５２】
例えば、撮像部１０１が３０ｆｐｓのフレームレートで映像データを生成するものとし、ＷＬＡＮインタフェース１０５により送信される映像データのフレームレートの限界が２０ｆｐｓの場合は、画像処理部１０２と拡大画像生成部１０３のどちらか一方で生成された画像データを用いる方が良い。また、撮像部１０１が１５ｆｐｓのフレームレートで映像データを生成するものとすると、画像処理部１０２と拡大画像生成部１０３の両方で生成された画像データを用いることが可能である。この場合、後者の方式の方が、撮像部１０１の省電効果が高いなどの副次的な効果もある。また、操作端末２００から操作指示が無く、撮影設定情報を受信していない場合に撮像部１０１のフレームレートを下げることで消費電力の低減を行うこともできる。
【００５３】
また、フォーカス調整中の場合は、拡大画像生成部１０３で生成された拡大画像データの優先度が高くなり、フレーミング中の場合は、画像処理部１０２で生成された画像データの優先度が高くなる。すなわち、フォーカス調整中の場合は、拡大画像生成部１０３で生成された拡大画像データの選択頻度が、画像処理部１０２で生成された画像データの選択頻度よりも高くなる。また、フレーミング中の場合は、画像処理部１０２で生成された画像データの選択頻度が、拡大画像生成部１０３で生成された拡大画像データの選択頻度よりも高くなる。
【００５４】
システムコントローラ１０６は、フォーカスレンズが駆動中であるか否かにより、フォーカス調整中であるか否かを判別する。また、システムコントローラ１０６は、ズームレンズが駆動中であるか否か、または、カメラが動いているか否かにより、フレーミング中であるか否かを判別する。カメラの動きの検出については、ジャイロセンサーなどを使用すれば良い。上記のような制御を行うことで、フォーカス調整中は、サブディスプレイ４２の拡大画像のフレームレートが高くなり、フレーミング中は、メインディスプレイ４１の撮影視野全体の画像のフレームレートが高くなる。
【００５５】
一般に、ユーザーはフォーカス調整中、拡大画像を注視してピントが合っているかどうかを確認し、フレーミング中は、撮影視野全体の画像を注視してフレーミングを行う傾向がある。フォーカス調整及びフレーミングの操作に応じて、必要な画像のフレームレートを高くすることで、フォーカス調整及びフレーミングの結果が確認し易くなる。
【００５６】
ここで、通信速度と送信画像のフレームレートの関係の一例を示す。撮像端末１００と操作端末２００とが無線ネットワークを経由して５Ｍｂｐｓの通信速度でデータ通信を行っている場合、ＱＶＧＡの画像データのサイズが２５ｋＢｙｔｅであるとすると、1秒間に２５フレームの画像を送信できる。撮像部１０１が１５ｆｐｓのフレームレートで画像データを生成する場合、送信画像生成部１０４は、画像処理部１０２で生成された画像データを毎フレーム選択し、拡大画像生成部１０３で生成された拡大画像データを３フレーム中２フレームで選択する。これによって、１秒間に２５フレームの画像データを送信することになり、撮影視野全体のライブビュー画像のフレームレートは１５ｆｐｓ、拡大ライブビュー画像のフレームレートは１０ｆｐｓとなる。フォーカス調整中は、前述した画像の選択率を変更することで、撮影視野全体のライブビュー画像のフレームレートは１０ｆｐｓ、拡大ライブビュー画像のフレームレートは１５ｆｐｓとなる。
【００５７】
ステップＳ１０５に続いて、送信画像生成部１０４は、ステップＳ１０５で選択した画像データに対して、図６に示すヘッダー情報を付加する（ステップＳ１０６）。ＷＬＡＮインタフェース１０５は、ヘッダー情報が付加された画像データを操作端末２００に送信する。（ステップＳ１０７）。
【００５８】
続いて、システムコントローラ１０６は、操作端末２００から終了指示を受信したか否かを判定する（ステップＳ１０８）。終了指示を受信した場合はリモート撮影を終了するが、終了指示を受信していない場合は、ステップＳ１０１に戻って、上記の制御が繰り返される。
【００５９】
図８は、リモート撮影によりライブビュー映像を撮像する場合の操作端末２００の動作の手順を示している。図８に示す動作は、ユーザーによって、リモート撮影を開始する操作が行われた場合に実行される。
【００６０】
リモート撮影が開始されると、システムコントローラ２０６は、ＷＬＡＮインタフェース２０１を介してリモート撮影開始指示を撮像端末１００に送信する（ステップＳ２０１）。続いて、システムコントローラ２０６は、ライブビュー用の画像データが受信されるのを待つ。ＷＬＡＮインタフェース２０１は、画像データを受信した場合、受信した画像データを受信画像判定部２０２へ出力する（ステップＳ２０２）。
【００６１】
受信画像判定部２０２は、画像データのヘッダーを解析し、画像の種別を判別する（ステップＳ２０３）。さらに、受信画像判定部２０２は、この判別結果に基づいて、表示部２０４ａ，２０４ｂのうち、判別した画像の種別に対応する方の内部のバッファに格納されている画像データを、受信した画像データに更新する（ステップＳ２０４）。
【００６２】
続いて、表示部２０４ａ，２０４ｂは、バッファに記憶している画像データに基づいて画像を表示する（ステップＳ２０５）。図４に示す携帯端末４０では、撮影視野全体の画像が、表示部２０４ａに対応するメインディスプレイ４１に表示され、拡大画像が、表示部２０４ｂに対応するサブディスプレイ４２に表示される。
【００６３】
続いて、システムコントローラ２０６は、ユーザーによる操作部２０５の操作を監視し、撮影に係る設定変更があったか否かを確認する（ステップＳ２０６）。設定変更があった場合、システムコントローラ２０６は、設定変更の内容を含む撮影設定情報を、ＷＬＡＮインタフェース２０１を介して撮像端末１００に送信する（ステップＳ２０７）。続いて、処理はステップＳ２０８に移行する。また、設定変更がなかった場合には、撮影設定情報は送信されず、処理はステップＳ２０８に移行する。
【００６４】
続いて、システムコントローラ２０６は、ユーザーによる操作部２０５の操作を監視し、リモート撮影の終了操作があったか否かを確認する（ステップＳ２０８）。終了操作がなされていない場合は、ステップＳ２０２に戻って、表示の更新が繰り返されるが、終了操作がなされた場合は、システムコントローラ２０６は、ＷＬＡＮインタフェース２０１を介して撮影終了指示を撮像端末１００に送信し（ステップＳ２０９）、一連のリモート撮影を終了する。
【００６５】
上記の説明では、撮影視野全体の画像と拡大画像の２種類の画像を表示しているが、複数の拡大画像を表示しても良いし、拡大画像ではなく、ホワイトバランスなどの画像処理を変更した画像を表示しても構わない。この場合は、拡大画像生成部１０３を所望の画像処理を行うものに変えるだけで良い。また、拡大画像生成部１０３が顔認識機能を有するものとし、撮像部１０１から出力された画像データから、顔であると判定した領域の画像データを切り出して拡大画像データを生成しても良い。また、操作端末２００の一例として携帯端末４０の説明を行ったが、操作端末２００は、表示系と操作系を持った無線通信端末であれば何でも良く、カメラであっても良い。
【００６６】
上述したように、本実施形態によれば、ライブビュー映像の撮影時に撮像端末１００が異なる２種類の画角の画像データを送信し、操作端末２００がそれらの画像データを受信し、各画像データに対応する表示部に画像を表示させることによって、ユーザーが複数の画角の画像を確認しながら撮像を行うことができる。また、撮像端末１００側でフォーカス調整中であるかフレーミング中であるかに応じて、操作端末２００に送信する撮影視野全体の画像データと拡大画像データとのフレームレートを切り替えることで、操作性に影響を与えることなく、通信データ量の増加を抑えることができる。
【００６７】
また、フォーカス調整中は、撮影視野全体の画像データよりも拡大画像データのフレームレートを上げることによって、ユーザーが、操作端末２００の表示部２０４ｂに表示される拡大画像を見ながらフォーカス調整を行う場合に、調整し易くなる。また、フレーミング中は、拡大画像データよりも撮影視野全体の画像データのフレームレートを上げることによって、ユーザーが、操作端末２００の表示部２０４ａに表示される撮影視野全体の画像を見ながらフレーミングを行う場合に、フレーミングし易くなる。
【００６８】
また、画像圧縮により、通信データ量を抑えることができるため、フレームレートを上げることができる。
【００６９】
また、操作端末２００において、ユーザーは拡大領域を指定することが可能であり、所望の領域を拡大表示することができる。
【００７０】
また、撮像端末１００において、操作端末２００からの指示（撮影設定情報）を受信していない時は、撮像部１０１が出力する原画像データの単位時間あたりのフレーム数を少なくすることによって、消費電力を低減することができる。
【００７１】
また、操作端末２００において、撮像端末１００から受信した画像データの内容を判定し、表示部２０４ａと表示部２０４ｂのどちらに対応する画像データであるのかを判別し、対応する表示部の表示画像を更新することによって、２種類のリアルタイム映像を表示することができる。
【００７２】
（第２の実施形態）
次に、本発明の第２の実施形態を説明する。第２の実施形態における撮像端末１００、操作端末２００の構成は第１の実施形態と同じであり、操作端末２００の形式とライブビュー映像の表示方法が異なる。以下、第１の実施形態と異なる部分についてのみ記載する。
【００７３】
図９は、本実施形態における利用シーンの一例を示している。カメラ３１が撮像端末１００に対応し、ノートＰＣ３２が操作端末２００に対応する。カメラ３１とノートＰＣ３２はアドホックモードの無線ネットワークを形成しており、カメラ３１とノートＰＣ３２は直接無線ＬＡＮにより接続されている。
【００７４】
このケースでは、カメラ３１で撮像されたライブビュー映像が無線ネットワークを経由してノートＰＣ３２に送信されている。ノートＰＣ３２は、カメラ３１に対して、撮像に係る操作（フレーミングやフォーカス調整）や撮像指示を行い、ライブビュー映像を遠隔で撮像させる。この際に、ユーザーによる操作に対応した操作コマンドが、無線ネットワークを経由してカメラ３１に送信され、カメラ３１はそのコマンドに基づいて動作する。
【００７５】
図１０は、本実施形態における操作端末２００であるノートＰＣ３１のディスプレイ上に表示される操作ウインドウの一例を示している。操作ウインドウ７０は、撮像端末１００からのＱＶＧＡ（３２０×２４０）サイズの映像を表示するメイン表示部７１と、ＱＳＩＦ（１７６×１４４）サイズの映像を表示するサブ表示部７２とを有している。メイン表示部７１は、図２における表示部２０４ａに対応し、サブ表示部７２は、表示部２０４ｂに対応する。
【００７６】
拡大エリア７３は、サブ表示部７２に表示される拡大画像の領域を示している。撮像端末１００は注目ポイントを自動的に認識し、拡大エリア７３に相当する拡大領域を設定する。撮像端末１００は、この拡大領域の情報を携帯端末４０に送信する。携帯端末４０は、受信した情報に基づいて、メイン表示部７１上の撮影視野全体の映像に拡大エリア７３を表示する。
【００７７】
本実施形態では、顔認識により注目ポイントの判定を行う。撮像端末１００において、拡大画像生成部１０３は、撮像部１０１から出力された画像データに基づいて顔領域を認識し、顔領域の画像データを切り出して拡大画像データを生成する。
【００７８】
レリーズスイッチ７４は、ユーザーが撮影の指示を行うスイッチである。ユーザーがレリーズスイッチ７４をクリックすることにより、撮像端末１００に撮影コマンドが送信される。また、ユーザーがマウスポインタをレリーズスイッチ７４上に合わせると、レリーズスイッチ７４は半押し状態に相当する状態として機能する。このとき、操作端末２００は撮像端末１００に対してフォーカスの開始を指示する。
【００７９】
操作スイッチ７５は、ユーザーがズーム倍率やフォーカス位置の調整を行うスイッチである。ユーザーが操作スイッチ７５を操作することにより、変倍操作やフォーカス調整操作を行うためのコマンドが撮像端末１００に対して送信される。
【００８０】
ズーム倍率表示７６及びフォーカス位置表示７７は、インジケータ表示により、撮像端末１００の光学系の設定状況を表示する。後述する受信画像データに付加された撮影パラメータに基づいて、ズーム倍率表示７６及びフォーカス位置表示７７の表示が更新される。
【００８１】
次に、本実施形態による撮像端末１００と操作端末２００の動作について、第１の実施形態と異なる部分について説明する。まず、通常のライブビュー映像の撮影時は、画像処理部１０２が、撮像部１０１で生成された原画像データをＱＶＧＡサイズのＪＰＥＧデータに変換する。同時に、拡大画像生成部１０３は、操作端末２００から指定された位置及びサイズに基づいて画像データの切り出しを行い、ＱＳＩＦサイズのＪＰＥＧデータを生成する。
【００８２】
送信画像生成部１０４は、フレームごとに生成される画像処理部１０２からの撮影視野全体の画像データと拡大画像生成部１０３からの拡大画像データとにヘッダー情報を付加して順次送信する。ここで、送信データ量に関する一例を挙げると、撮像端末１００と操作端末２００との間で無線ネットワークを経由した通信が５Ｍｂｐｓの通信速度で行われる場合、ＱＶＧＡのＪＰＥＧデータのサイズを２５ｋＢｙｔｅ、ＱＳＩＦのＪＰＥＧデータのサイズを１５ｋＢｙｔeと仮定すると、それぞれ１５ｆｐｓのフレームレートでのデータ送信が可能である。
【００８３】
続いて、操作端末２００からフォーカス調整の指示を受信した場合、システムコントローラ１０６は、画像処理部１０２が生成する撮影視野全体の画像データのサイズをＱＳＩＦに設定し、拡大画像生成部１０３が生成する拡大画像データのサイズをＱＶＧＡサイズに設定する。すなわち、フォーカス調整中は、撮影視野全体の画像と拡大画像の画像サイズが逆転する。
【００８４】
続いて、操作端末２００では、受信画像判定部２０２が、画像サイズに基づいて受信画像データの種類を判定し、受信画像データがＱＶＧＡサイズであれば表示部２０４ａの表示画像を更新し、受信画像データがＱＳＩＦサイズであれば表示部２０４ｂの表示画像を更新する。以上の制御によると、通常のライブビュー撮影時は撮影視野全体の画像がメイン表示部７１に表示され、拡大画像がサブ表示部７２に表示されるが、フォーカス調整が行われる際は、拡大画像がメイン表示部７１に表示され、撮影視野全体の画像がサブ表示部７２に表示される。
【００８５】
なお、本実施形態では、画像サイズにより画像の判別を行っているので、画像データにヘッダー情報は無くても良い。この場合、別途コマンド通信を行うことにより、図６の撮影パラメータ６３に係る情報を送信すれば良い。また、画像サイズやフレームレートは、ＱＶＧＡやＱＳＩＦ、１５ｆｐｓに限定するものではなく、ＶＧＡサイズや３０ｆｐｓなどでも構わない。
【００８６】
また、本実施形態では、注目ポイントの判定に顔認識を使用しているが、この応用例として、次のようなシステムが考えられる。例えば、操作者が、設置されたカメラから送信された映像と顔の拡大映像とを同時に確認し、気になる人物がいた場合は撮影操作を行って撮影するなどである。この場合、顔が拡大画像で確認できるため、人物を特定しやすくなり、監視カメラなどの用途で利用できる。
【００８７】
上述したように、本実施形態によれば、ユーザーが撮影視野全体の画像と注目部分の拡大画像とを同時に確認できるとともに、フォーカス調整中は拡大部をより高精細な画像で確認することができるので、所望の被写体にピントが合っているか否かを確認しやすくなる。
【００８８】
また、フォーカス調整中は、拡大画像の画像サイズが撮影視野全体の画像の画像サイズよりも大きくなるため、ユーザーは高精細な画像でフォーカスを確認し易くなり、調整し易くなる。
【００８９】
また、ユーザーは撮影視野全体の画像と共に顔の拡大画像を確認することができるので、表情の変化などを確認しながら撮影することができる。
【００９０】
また、画像サイズにより画像の判別を行うことによって、ヘッダー情報を画像データに付加する必要が無い。
【００９１】
また、２つの表示部を同一画面上に設けることで、表示装置を１つしか持っていない通信端末でも複数のリアルタイム映像を表示することができる。
【００９２】
（第３の実施形態）
次に、本発明の第３の実施形態を説明する。第３の実施形態における撮像端末１００、操作端末２００の構成は第１の実施形態と同じであり、撮像端末１００の画像処理部１０２、拡大画像生成部１０３、及び送信画像生成部１０４の機能が異なる。また、操作端末２００において、表示装置２０４は表示部２０４ａのみで、受信画像判定部２０２の機能は必要ない。
【００９３】
図１１は、本実施形態における操作端末２００が表示する画像の一例を示す。図１１の操作ウインドウ８０は、図９におけるノートＰＣ３２のディスプレイ上に表示されたウインドウである。操作ウインドウ８０において、撮像端末１００からの６４０×２４０のサイズの画像が表示エリア８１に表示される。この表示画像は、ＱＶＧＡ（３２０×２４０）サイズの画像を２枚並べて合成された画像である。全体表示エリア８２に表示される画像は撮影視野全体の画像であり、拡大表示エリア８３に表示される画像は所定の部分の拡大画像である。
【００９４】
レリーズスイッチ８４は、ユーザーが撮影の指示を行うスイッチである。ユーザーがレリーズスイッチ８４をクリックすることにより、撮像端末１００に撮影コマンドが送信される。また、ユーザーがマウスポインタをレリーズスイッチ８４上に合わせると、レリーズスイッチ８４は半押し状態に相当する状態として機能する。このとき、操作端末２００は撮像端末１００に対してフォーカスの開始を指示する。
【００９５】
操作スイッチ８５は、ユーザーがズーム倍率やフォーカス位置の調整を行うスイッチである。ユーザーが操作スイッチ８５を操作することにより、変倍操作やフォーカス調整操作を行うためのコマンドが撮像端末１００に対して送信される。
【００９６】
ズーム倍率表示８６及びフォーカス位置表示８７は、インジケータ表示により、撮像端末１００の光学系の設定状況を表示する。受信画像データに付加された撮影パラメータに基づいて、ズーム倍率表示８６及びフォーカス位置表示８７の表示が更新される。
【００９７】
次に、本実施形態による撮像端末１００と操作端末２００の動作について、他の実施形態と異なる部分について説明する。撮像端末１００において、画像処理部１０２は、撮像部１０１で生成された原画像データのうち撮影視野全体をＱＶＧＡサイズに変換し、所定の圧縮率で圧縮し、撮影視野全体の画像データを生成する。
【００９８】
拡大画像生成部１０３は、撮像部１０１で生成された原画像データの一部をＱＶＧＡサイズに変換し、所定の圧縮率で圧縮し、拡大画像データを生成する。圧縮率に関しては、画像処理部１０２及び拡大画像生成部１０３で異なった値を設定することができるが、これは、システムコントローラ１０６によって決定される。システムコントローラ１０６は、操作端末２００からの指示によりフォーカス調整を行っている場合は、拡大画像生成部１０３の圧縮率を画像処理部１０２の圧縮率と比較して低くし、それ以外の場合は、画像処理部１０２の圧縮率を拡大画像生成部１０３の圧縮率と比較して低くする。
【００９９】
送信画像生成部１０４は、画像処理部１０２と拡大画像生成部１０３で生成された画像データを合成して６４０×２４０サイズの１つの画像データを生成し、ＷＬＡＮインタフェース１０５を経由して操作端末２００に送信する。操作端末２００は、ＷＬＡＮインタフェース２０１から受信した画像データをそのまま表示装置２０４に表示する。
【０１００】
なお、本実施形態では画像サイズをＱＶＧＡとしたがこれに限定するものではない。また、画像処理部１０２と拡大画像生成部１０３で生成された画像データを合成する際、２つの画像を横に並べて合成したが、縦に並べても良いし、画像サイズを変えて重ねて表示しても良い。
【０１０１】
上述したように、本実施形態によれば、操作端末２００から撮像端末１００のフォーカスを調整する場合は、拡大画像の圧縮率が低くなるため、表示される拡大画像が鮮明になりフォーカスが確認し易くなる。その他の場合は、撮影視野全体の画像の圧縮率が低くなるため、撮影視野全体の画像が鮮明になり、フレーミングが確認し易くなる。
【０１０２】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１０３】
１００・・・撮像端末、１０１・・・撮像部、１０１ａ・・・フォーカスレンズ、１０１ｂ・・・ズームレンズ、１０１ｃ・・・撮像素子、１０１ｄ・・・駆動部、１０２・・・画像処理部、１０３・・・拡大画像生成部、１０４・・・送信画像生成部、１０５・・・ＷＬＡＮインタフェース、１０６・・・システムコントローラ、２００・・・操作端末、２０１・・・ＷＬＡＮインタフェース、２０２・・・受信画像判定部、２０４・・・表示装置、２０５・・・操作部、２０６・・・システムコントローラ
【図１】
0005393340.tif 000002
【図２】
0005393340.tif 000003
【図６】
0005393340.tif 000004
【図７】
0005393340.tif 000005
【図８】
0005393340.tif 000006
【図９】
0005393340.tif 000007
【図３】
0005393340.tif 000008
【図４】
0005393340.tif 000009
【図５】
0005393340.tif 000010
【図１０】
0005393340.tif 000011
【図１１】
0005393340.tif 000012